(57)【要約】  本発明は、ＣｏＭＰベースのＴＤＤ通信システムの基地局でアンテナを自己較正する方法およびデバイスであって、まず、較正送信器および較正受信器に対する相対的な現在の基地局の基地局送信器および基地局受信器の各対の相対相互関係【数１】2013510473.tif 000138が計算され、基準基地局送信器および基準基地局受信器として基地局送信器および基地局受信器の１対を選択することによって基準基地局送信器および基準基地局受信器に対する相対的な現在の基地局の基地局送信器および基地局受信器の各対の相対相互関係【数２】2013510473.tif 000139が計算され、ｉ＝１、２、…、Ｎであり、その後、測定信号が、現在の基地局の較正送信器から較正受信器に送信され、現在の基地局の較正送信器および較正受信器のチャネル応答ｈｃ，ｋが、測定され、ｈｃ，ｋ＝ｈｃｔ，ｋｈｃｒ，ｋであり、ｋ＝１、２、…、Ｍであり、その後、現在の基地局の較正受信器のチャネル応答ｈｃｒ，ｋが測定され、次に、現在の基地局の較正送信器および較正受信器の絶対相互関係ｗｃ，ｋが、【数３】2013510473.tif 000140の式で計算され、最後に、獲得されたグローバル基準ｗｍから現在の基地局の基地局送信器および基地局受信器の各対のグローバル相対較正重み【数４】2013510473.tif 000141が、【数５】2013510473.tif 000142の式で計算される、方法およびデバイスを開示する。本発明の技術的解決策は、ＣｏＭＰベースのＴＤＤ無線通信システムのアンテナ較正を実行することができる。
2013510473.tif 000002
【特許請求の範囲】
【請求項１】
ＣｏＭＰベースのＴＤＤ通信システムの基地局でアンテナを自己較正する方法であって、
ａ．較正送信器および較正受信器に対する相対的な現在の基地局の基地局送信器および基地局受信器の各対の相対相互関係
【数１】
2013510473.tif 000098
を計算し、基準基地局送信器および基準基地局受信器として基地局送信器および基地局受信器の１対を選択することによって前記基準基地局送信器および前記基準基地局受信器に対する相対的な前記現在の基地局の基地局送信器および基地局受信器の各対の相対相互関係
【数２】
2013510473.tif 000099
を計算するステップであって、ｉは、前記現在の基地局の基地局送信器および基地局受信器の複数の対の中の基地局送信器および基地局受信器の第ｉ対を表し、ｉ＝１、２、…、Ｎである、ステップと、
ｂ．前記現在の基地局の前記較正送信器から前記較正受信器に測定信号を送信し、前記現在の基地局の前記較正送信器および前記較正受信器のチャネル応答ｈｃ，ｋを測定するステップであって、ｈｃ，ｋ＝ｈｃｔ，ｋｈｃｒ，ｋであり、ｋは、前記現在の基地局が前記ＣｏＭＰベースのＴＤＤ通信システム内の第ｋ基地局であることを示し、ｋ＝１、２、…、Ｍであり、Ｍは、前記ＣｏＭＰベースのＴＤＤ通信システム内の協力する基地局の総数を表す、ステップと、
ｃ．前記現在の基地局の前記較正受信器のチャネル応答ｈｃｒ，ｋを測定するステップと、
ｄ．
【数３】
2013510473.tif 000100
の式で前記現在の基地局の前記較正送信器および前記較正受信器の絶対相互関係ｗｃ，ｋを計算するステップと、
ｅ．獲得されたグローバル基準ｗｍから前記現在の基地局の基地局送信器および基地局受信器の各対のグローバル相対較正重み
【数４】
2013510473.tif 000101
を
【数５】
2013510473.tif 000102
の式で計算するステップと
を含み、ｗｔは、前記現在の基地局の前記基準基地局送信器および前記基準基地局受信器の前記絶対相互関係を表し、
【数６】
2013510473.tif 000103
であり、ｗｍは、前記現在の基地局の前記基準基地局送信器および前記基準基地局受信器の前記絶対相互関係または他の協力する基地局のうちの１つの基準基地局送信器および基準基地局受信器の絶対相互関係を表す
方法。
【請求項２】
前記ステップｅの後に、
ｆ．前記現在の基地局の基地局送信器および基地局受信器の各対の前記計算されたグローバル相対較正重み
【数７】
2013510473.tif 000104
から、前記現在の基地局の基地局送信器および基地局受信器の各対の前記絶対較正重みｗｉを
【数８】
2013510473.tif 000105
の式で計算するステップ
をさらに含む、請求項１に記載の方法。
【請求項３】
前記ステップｅは、
ｅ１．他の協力する基地局のうちの１つから前記グローバル基準ｗｍを受信するステップと、
ｅ２．前記受信されたグローバル基準ｗｍから前記現在の基地局の基地局送信器および基地局受信器の各対の前記グローバル相対較正重み
【数９】
2013510473.tif 000106
を
【数１０】
2013510473.tif 000107
の式で計算するステップと
をさらに含み、ｗｔは、前記現在の基地局の前記基準基地局送信器および前記基準基地局受信器の前記絶対相互関係を表し、ｗｍは、他の協力する基地局のうちの１つの前記基準基地局送信器および前記基準基地局受信器の絶対相互関係を表す
請求項１に記載の方法。
【請求項４】
前記ステップｅは、
ｅ１’．前記現在の基地局と他の協力する基地局との間の論理リンクを介してグローバル基準ｗｍとして前記現在の基地局の前記基準送信器および前記基準受信器の前記絶対相互関係を前記他の協力する基地局に送信するステップと、
ｅ２’．前記グローバル基準ｗｍから前記現在の基地局の基地局送信器および基地局受信器の各対の前記グローバル相対較正重み
【数１１】
2013510473.tif 000108
を
【数１２】
2013510473.tif 000109
の式で計算するステップと
をさらに含み、
ｗｔとｗｍとの両方は、前記現在の基地局の前記基準基地局送信器および前記基準基地局受信器の前記絶対相互関係を表す
請求項１に記載の方法。
【請求項５】
前記ステップｃは、
ｃ１．前記現在の基地局のランダム・シーケンス・ジェネレータから前記現在の基地局の前記較正受信器へランダム・シーケンスを送信するステップと、
ｃ２．前記シーケンス・ジェネレータおよび前記較正受信器のチャネル応答ｈ３＝ｈＲＳＧ，ｋｈｃｒ，ｋを測定するステップであって、ｈＲＳＧ，ｋは、前記現在の基地局の前記ランダム・シーケンス・ジェネレータのチャネル応答を表し、ｈｃｒ，ｋは、前記現在の基地局の前記較正受信器の前記チャネル応答を表す、ステップと、
ｃ３．前記現在の基地局の前記較正受信器の前記チャネル応答ｈｃｒ，ｋを
【数１３】
2013510473.tif 000110
の式で計算するステップと
を含む、請求項１に記載の方法。
【請求項６】
前記ステップａは、
ａ１．前記現在の基地局の複数の基地局送信器から前記現在の基地局の前記較正受信器へ複数の直交較正信号を同時に送信し、送信器較正ループのチャネル応答ｈｔ，ｉ＝ｈｂｔ，ｉｈｃｒを測定し、ｈｂｔ，ｉは、前記現在の基地局の第ｉ基地局送信器のチャネル応答を表し、ｈｃｒは、前記現在の基地局の前記較正受信器の前記チャネル応答を表し、それぞれ前記現在の基地局の前記較正送信器から前記現在の基地局の複数の基地局受信器へ較正信号を送信し、受信器較正ループのチャネル応答ｈｒ，ｉ＝ｈｃｔｈｂｒ，ｉを測定するステップであって、ｈｂｒ，ｉは、前記現在の基地局の第ｉ基地局受信器のチャネル応答を表し、ｈｃｔは、前記現在の基地局の前記較正送信器のチャネル応答を表す、ステップと、
ａ２．前記較正送信器および前記較正受信器に対する相対的な前記現在の基地局の基地局送信器および基地局受信器の各対の前記相対相互関係を
【数１４】
2013510473.tif 000111
の式で計算するステップと、
ａ３．前記基準基地局送信器および前記基準基地局受信器として前記現在の基地局の基地局送信器および基地局受信器の複数の対のうちの１つを選択し、前記較正送信器および前記較正受信器に対する相対的な前記基準基地局送信器および前記基準基地局受信器の相対相互関係
【数１５】
2013510473.tif 000112
を計算するステップと、
ａ４．前記基準基地局送信器および前記基準基地局受信器に対する相対的な前記現在の基地局の基地局送信器および基地局受信器の各対の前記相対相互関係
【数１６】
2013510473.tif 000113
を
【数１７】
2013510473.tif 000114
の式で計算するステップと
をさらに含む、請求項１に記載の方法。
【請求項７】
ＣｏＭＰベースのＴＤＤ通信システムの基地局で無線でアンテナを較正する方法であって、
Ａ．移動局送信器および移動局受信器に対する相対的な現在の基地局の基地局送信器および基地局受信器の各対の相対相互関係
【数１８】
2013510473.tif 000115
を計算するステップであって、ｉは、前記現在の基地局の基地局送信器および基地局受信器の複数の対の中の基地局送信器および基地局受信器の第ｉ対を表し、ｉ＝１、２、…、Ｎである、ステップと、
Ｂ．前記現在の基地局の基地局送信器および基地局受信器の各対のグローバル相対較正重み
【数１９】
2013510473.tif 000116
を、受信されたグローバル基準
【数２０】
2013510473.tif 000117
から
【数２１】
2013510473.tif 000118
の式で計算するステップと
を含み、ｓ＝１、２、…、Ｌであり、Ｌは、前記ＣｏＭＰベースのＴＤＤ通信システム内のすべての協力する基地局の基地局送信器および基地局受信器の対の個数を表す
方法。
【請求項８】
前記ステップＡは、
Ａ１．前記現在の基地局の複数の基地局送信器を介してから移動局の前記移動局受信器へ複数の直交較正信号を同時に送信するステップと、
Ａ２．前記現在の基地局に対応する送信器較正ループのチャネル応答ｈｔ，ｉ＝ｈｂｔ，ｉｈＡＩ，ｉｈｍｒを前記移動局から受信するステップであって、ｈｂｔ，ｉは、前記現在の基地局の第ｉ基地局送信器のチャネル応答を表し、ｈＡＩ，ｉは、前記現在の基地局のエア・インターフェースのチャネル応答を表し、ｈｍｒは、前記移動局受信器のチャネル応答を表す、ステップと、
Ａ３．前記移動局の前記移動局送信器から前記現在の基地局の複数の基地局受信器へ送信された受信された較正信号から前記現在の基地局に対応する受信器較正ループのチャネル応答ｈｒ，ｉ＝ｈｍｔｈＡｉ，ｉｈｂｒ，ｉを測定するステップであって、ｈＡＩ，ｉは、前記エア・インターフェースのチャネル応答を表し、ｈｂｒ，ｉは、第ｉ基地局受信器のチャネル応答を表し、ｈｍｔは、前記移動局送信器のチャネル応答を表す、ステップと、
Ａ４．前記移動局送信器および前記移動局受信器に対する相対的な前記現在の基地局の基地局送信器および基地局受信器の各対の相対相互関係を
【数２２】
2013510473.tif 000119
の式で計算するステップと
を含む、請求項７に記載の方法。
【請求項９】
ＣｏＭＰベースのＴＤＤ通信システムの移動局で無線でアンテナを較正するのを補助する方法であって、
ｉ．複数の基地局のそれぞれの複数の基地局送信器から複数の直交較正信号を現在の移動局の移動局受信器で受信するステップと、
ｉｉ．前記複数の受信された直交較正信号から各基地局に対応する送信器較正ループのチャネル応答ｈｔ，ｉ＝ｈｂｔ，ｉｈＡＩ，ｉｈｍｒを測定し、各基地局に前記チャネル応答を送信するステップであって、ｈｂｔ，ｉは、現在の基地局の第ｉ基地局送信器のチャネル応答を表し、ｈＡＩ，ｉは、前記現在の基地局のエア・インターフェースのチャネル応答を表し、ｈｍｒは、前記移動局受信器のチャネル応答を表す、ステップと、
ｉｉｉ．前記現在の移動局の移動局送信器から前記複数の基地局のそれぞれの複数の基地局送信器に較正信号を送信するステップと
を含む方法。
【請求項１０】
ＣｏＭＰベースのＴＤＤ通信システムの基地局でアンテナを自己較正する自己較正デバイスであって、
較正送信器および較正受信器に対する相対的な現在の基地局の基地局送信器および基地局受信器の各対の相対相互関係
【数２３】
2013510473.tif 000120
を計算し、基準基地局送信器および基準基地局受信器として基地局送信器および基地局受信器の１対を選択することによって前記基準基地局送信器および前記基準基地局受信器に対する相対的な前記現在の基地局の基地局送信器および基地局受信器の各対の相対相互関係
【数２４】
2013510473.tif 000121
を計算する第１計算手段であって、ｉは、前記現在の基地局の基地局送信器および基地局受信器の複数の対の中の基地局送信器および基地局受信器の第ｉ対を表し、ｉ＝１、２、…、Ｎである、第１計算手段と、
前記現在の基地局の前記較正送信器から前記較正受信器に測定信号を送信し、前記現在の基地局の前記較正送信器および前記較正受信器のチャネル応答ｈｃ，ｋを測定する第１測定手段であって、ｈｃ，ｋ＝ｈｃｔ，ｋｈｃｒ，ｋであり、ｋは、前記現在の基地局が前記ＣｏＭＰベースのＴＤＤ通信システム内の第ｋ基地局であることを示し、ｋ＝１、２、…、Ｍであり、Ｍは、前記ＣｏＭＰベースのＴＤＤ通信システム内の協力する基地局の総数を表す、第１測定手段と、
前記現在の基地局の前記較正受信器のチャネル応答ｈｃｒ，ｋを測定する第２測定手段と、
【数２５】
2013510473.tif 000122
の式で前記現在の基地局の前記較正送信器および前記較正受信器の絶対相互関係ｗｃ，ｋを計算する第２計算手段と、
獲得されたグローバル基準ｗｍから前記現在の基地局の基地局送信器および基地局受信器の各対のグローバル相対較正重み
【数２６】
2013510473.tif 000123
を
【数２７】
2013510473.tif 000124
の式で計算する第３計算手段と
を含み、ｗｔは、前記現在の基地局の前記基準基地局送信器および前記基準基地局受信器の前記絶対相互関係を表し、
【数２８】
2013510473.tif 000125
であり、ｗｍは、前記現在の基地局の前記基準基地局送信器および前記基準基地局受信器の前記絶対相互関係または他の協力する基地局のうちの１つの基準基地局送信器および基準基地局受信器の前記絶対相互関係を表す
自己較正デバイス。
【請求項１１】
前記現在の基地局の基地局送信器および基地局受信器の各対の前記計算されたグローバル相対較正重み
【数２９】
2013510473.tif 000126
から、前記現在の基地局の基地局送信器および基地局受信器の各対の前記絶対較正重みｗｉを
【数３０】
2013510473.tif 000127
の式で計算する第４計算手段
をさらに含む、請求項１０に記載の自己較正デバイス。
【請求項１２】
前記第２測定手段は、
前記現在の基地局のランダム・シーケンス・ジェネレータから前記現在の基地局の前記較正受信器へランダム・シーケンスを送信する第１送信手段と、
前記シーケンス・ジェネレータおよび前記較正受信器のチャネル応答ｈ３＝ｈＲＳＧ，ｋｈｃｒ，ｋを測定する第３測定手段であって、ｈＲＳＧ，ｋは、前記現在の基地局の前記ランダム・シーケンス・ジェネレータのチャネル応答を表し、ｈｃｒ，ｋは、前記現在の基地局の前記較正受信器の前記チャネル応答を表す、第３測定手段と、
前記現在の基地局の前記較正受信器の前記チャネル応答ｈｃｒ，ｋを
【数３１】
2013510473.tif 000128
の式で計算する第５計算手段と
を含む、請求項１０に記載の自己較正デバイス。
【請求項１３】
前記第１計算手段は、
前記現在の基地局の複数の基地局送信器から前記現在の基地局の前記較正受信器へ複数の直交較正信号を同時に送信し、送信器較正ループのチャネル応答ｈｔ，ｉ＝ｈｂｔ，ｉｈｃｒを測定し、ｈｂｔ，ｉは、前記現在の基地局の第ｉ基地局送信器のチャネル応答を表し、ｈｃｒは、前記現在の基地局の前記較正受信器の前記チャネル応答を表し、それぞれ前記現在の基地局の前記較正送信器から前記現在の基地局の複数の基地局受信器へ較正信号を送信し、受信器較正ループのチャネル応答ｈｒ，ｉ＝ｈｃｔｈｂｒ，ｉを測定する第４測定手段であって、ｈｂｒ，ｉは、前記現在の基地局の第ｉ基地局受信器のチャネル応答を表し、ｈｃｔは、前記現在の基地局の前記較正送信器のチャネル応答を表す、第４測定手段と、
前記較正送信器および前記較正受信器に対する相対的な前記現在の基地局の基地局送信器および基地局受信器の各対の前記相対相互関係を
【数３２】
2013510473.tif 000129
の式で計算する第６計算手段と、
前記基準基地局送信器および前記基準基地局受信器として前記現在の基地局の基地局送信器および基地局受信器の複数の対のうちの１つを選択し、前記較正送信器および前記較正受信器に対する相対的な前記基準基地局送信器および前記基準基地局受信器の相対相互関係
【数３３】
2013510473.tif 000130
を計算する選択手段と、
前記基準基地局送信器および前記基準基地局受信器に対する相対的な前記現在の基地局の基地局送信器および基地局受信器の各対の前記相対相互関係
【数３４】
2013510473.tif 000131
を
【数３５】
2013510473.tif 000132
の式で計算する第７計算手段と
をさらに含む、請求項１０に記載の自己較正デバイス。
【請求項１４】
ＣｏＭＰベースのＴＤＤ通信システムの基地局で無線でアンテナを較正する無線較正デバイスであって、
移動局送信器および移動局受信器に対する相対的な現在の基地局の基地局送信器および基地局受信器の各対の相対相互関係
【数３６】
2013510473.tif 000133
を計算する第８計算手段であって、ｉは、前記現在の基地局の基地局送信器および基地局受信器の複数の対の中の基地局送信器および基地局受信器の第ｉ対を表し、ｉ＝１、２、…、Ｎである、第８計算手段と、
前記現在の基地局の基地局送信器および基地局受信器の各対のグローバル相対較正重み
【数３７】
2013510473.tif 000134
を、受信されたグローバル基準
【数３８】
2013510473.tif 000135
から
【数３９】
2013510473.tif 000136
の式で計算する第９計算手段と
を含み、ｓ＝１、２、…、Ｌであり、Ｌは、前記ＣｏＭＰベースのＴＤＤ通信システム内のすべての協力する基地局の基地局送信器および基地局受信器の対の個数を表す
無線較正デバイス。
【請求項１５】
前記第８計算手段は、
前記現在の基地局の複数の基地局送信器から移動局の前記移動局受信器へ複数の直交較正信号を同時に送信する第２送信手段と、
前記現在の基地局に対応する送信器較正ループのチャネル応答ｈｔ，ｉ＝ｈｂｔ，ｉｈＡＩ，ｉｈｍｒを前記移動局から受信する第２受信手段であって、ｈｂｔ，ｉは、前記現在の基地局の第ｉ基地局送信器のチャネル応答を表し、ｈＡＩ，ｉは、前記現在の基地局のエア・インターフェースのチャネル応答を表し、ｈｍｒは、前記移動局受信器のチャネル応答を表す、第２受信手段と、
前記移動局の前記移動局送信器から前記現在の基地局の複数の基地局受信器へ送信された受信された較正信号から前記現在の基地局に対応する受信器較正ループのチャネル応答ｈｒ，ｉ＝ｈｍｔｈＡｉ，ｉｈｂｒ，ｉを測定する第５測定手段であって、ｈＡＩ，ｉは、前記エア・インターフェースのチャネル応答を表し、ｈｂｒ，ｉは、第ｉ基地局受信器のチャネル応答を表し、ｈｍｔは、前記移動局送信器のチャネル応答を表す、第５測定手段と、
前記移動局送信器および前記移動局受信器に対する相対的な前記現在の基地局の基地局送信器および基地局受信器の各対の相対相互関係を
【数４０】
2013510473.tif 000137
の式で計算する第１０計算手段と
を含む、請求項１４に記載の無線較正デバイス。
【発明の詳細な説明】
【技術分野】
【０００１】
本発明は、無線通信システムに関し、具体的には、Ｃｏｏｐｅｒａｔｉｖｅ  Ｍｕｌｔｉｐｏｉｎｔ  Ｐｒｏｃｅｓｓｉｎｇ（ＣｏＭＰ）に基づく時分割複信（ＴＤＤ）無線通信システムに関する。
【背景技術】
【０００２】
ＴＤＤ無線通信システムでは、基地局が特定の時間期間に移動局に信号を送信し、移動局が別の時間期間に基地局に信号を送信する形で受信チャネルおよび送信チャネルを時間的に分離するために、同一周波数チャネル（すなわち、搬送波）上の異なるタイムスロットが、基地局と移動局との間のアップリンク通信およびダウンリンク通信に使用される。基地局および移動局は、これによって滑らかに動作するために、一貫して協力しなければならない。
【０００３】
ＴＤＤシステムでは、アップリンク送信およびダウンリンク送信が、同一周波数帯で行われる、すなわち、アップリンク・チャネルとダウンリンク・チャネルとの間に相互関係があり、したがって、ダウンリンク・チャネルを、アップリンク・チャネルのパラメータを用いて推定することができる。残念ながら、アップリンク・チャネルおよびダウンリンク・チャネルは、ＴＤＤシステムの基地局および移動局での受信および送信用の無線周波数回路の相違と、たとえば、速度によって引き起こされるドップラ・シフトなどのいくつかの他の要因とに起因して相互関係がない場合があり、したがって、これによって差について補償するために基地局の送信アンテナおよび受信アンテナを較正することが望ましい。
【０００４】
現在、ＴＤＤシステムの大多数で、相対較正が広く使用されている。次の２つの相対較正モードが、一般に、既存の解決策の中で使用可能である。
【０００５】
第１の解決策は、単一セル内のアンテナの伝統的な相対較正を用いる。
【０００６】
図１に示されているように、２つのアンテナを有する基地局があり、アンテナのそれぞれが、時分割で信号を送信し、受信するために送受信切替器によって制御されると仮定する。基地局は、２つの基地局送信器（すなわち、第１基地局送信器および第２基地局送信器）および２つの基地局受信器（すなわち、第１基地局受信器および第２基地局受信器）ならびに較正送信器および較正受信器を含む。
【０００７】
第１に、２つの直交較正信号が、送信器較正ループのチャネル応答
ｈｔ，ｉ＝ｈｂｔ，ｉｈｃｒ
を測定するために、２つの基地局送信器から較正受信器へ同時に送信される。
【０００８】
ここで、ｈｔ，ｉは、送信器較正ループの測定されるチャネル応答を表し、ｈｂｔ，ｉは、第ｉ基地局送信器のチャネル応答を表し、ｉ＝１、２であり、ｈｃｒは、較正受信器のチャネル応答を表す。
【０００９】
較正信号が、受信器較正ループのチャネル応答
ｈｒ，ｉ＝ｈｃｔｈｂｒ，ｉ
を測定するために、較正送信器から２つの基地局受信器にそれぞれ送信される。
【００１０】
ここで、ｈｒ，ｉは、受信器較正ループの測定されるチャネル応答を表し、ｈｂｒ，ｉは、第ｉ基地局受信器のチャネル応答を表し、ｈｃｔは、較正送信器のチャネル応答を表す。
【００１１】
その後、第ｉ基地局送信器と第ｉ基地局受信器との相互関係が計算される。
【数１】
2013510473.tif 000003
【００１２】
ここで、
【数２】
2013510473.tif 000004
かつ
【数３】
2013510473.tif 000005
である。
【００１３】
最後に、これらが正規化され、相対相互関係が獲得される。
【数４】
2013510473.tif 000006
【００１４】
ｈｔ，ｉ、ｈｒ，ｉ、ｈｒ，１、およびｈｔ，１のすべてが測定された値なので、
【数５】
2013510473.tif 000007
は、計算された値を表す。
【００１５】
ここで、ｗ１は、基地局の相互関係基準と解釈され、
【数６】
2013510473.tif 000008
は、相対較正重みと解釈される。
【００１６】
第２の解決策は、単一セル内の伝統的な無線較正を用いる。
【００１７】
図２に示されているように、２つのアンテナを有する基地局があり、アンテナのそれぞれが、時分割で信号を送信し、受信するために、送受信切替器によって制御されると仮定する。基地局は、２つの基地局送信器（すなわち、第１基地局送信器および第２基地局送信器）および２つの基地局受信器（すなわち、第１基地局受信器および第２基地局受信器）を含む。時分割で信号を送信し、受信するためにトランシーバによって制御されるアンテナを有する移動局がある。移動局は、移動局送信器および移動局受信器を含む。
【００１８】
まず、２つの直交較正信号が、送信器較正ループのチャネル応答
ｈｔ，ｉ＝ｈｂｔ，ｉｈＡＩ，ｉｈｍｒ
を測定するために２つの基地局送信器から移動局受信器へ同時に送信される。
【００１９】
ここで、ｈｔ，ｉは、送信器較正ループの測定されたチャネル応答を表し、ｈｂｔ，ｉは、第ｉ基地局送信器のチャネル応答を表し、ｉ＝１、２であり、ｈＡＩ，ｉは、エア・インターフェースのチャネル応答を表し、ｈｍｒは、移動局受信器のチャネル応答を表す。
【００２０】
移動局のベースバンドが、基地局のベースバンドと同一位置に配置されておらず、したがって、移動局が、ｈｔ，ｉを測定した後にエア・インターフェースを介して基地局にｈｔ，ｉを送信しなければならないことに留意されたい。
【００２１】
較正信号が、受信器較正ループのチャネル応答
ｈｒ，ｉ＝ｈｍｔｈＡｉ，ｉｈｂｒ，ｉ
を測定するために移動局送信器から２つの基地局受信器へそれぞれ送信される。
【００２２】
ここで、ｈｒ，ｉは、受信器較正ループの測定されたチャネル応答を表し、ｈＡＩ，ｉは、エア・インターフェースのチャネル応答を表し、ｈｂｒ，ｉは、第ｉ基地局受信器のチャネル応答を表し、ｈｍｔは、移動局送信器のチャネル応答を表す。
【００２３】
その後、第ｉ基地局送信器と第ｉ基地局受信器との相互関係が計算される。
【数７】
2013510473.tif 000009
【００２４】
ここで、
【数８】
2013510473.tif 000010
かつ
【数９】
2013510473.tif 000011
である。
【００２５】
最後に、これらが正規化され、相対相互関係が獲得される。
【数１０】
2013510473.tif 000012
【００２６】
ｈｔ，ｉ、ｈｒ，ｉ、ｈｒ，１、およびｈｔ，１のすべてが測定された値なので、
【数１１】
2013510473.tif 000013
は、計算された値を表す。
【００２７】
ここで、ｗ１は、基地局の相互関係基準と解釈され、
【数１２】
2013510473.tif 000014
は、相対較正重みと解釈される。
【発明の概要】
【発明が解決しようとする課題】
【００２８】
ＴＤＤシステムの前述の２つの相対較正解決策は、単一セル内の適用シナリオにのみ適用可能である。しかし、動作アンテナ較正解決策は、ＣｏＭＰベースのＴＤＤ無線通信システムに対してこれまでは存在せず、したがって、ＣｏＭＰベースのＴＤＤ無線通信システムに対するアンテナ較正解決策を提供することが、非常に必要である。
【課題を解決するための手段】
【００２９】
従来技術の前述の問題を考慮して、ＣｏＭＰベースのＴＤＤ通信システム内のアンテナを較正する方法およびそれに対応するデバイスを提供する。
【００３０】
本発明の第１の態様によれば、ＣｏＭＰベースのＴＤＤ通信システムの基地局でアンテナを自己較正する方法であって、
ａ．較正送信器および較正受信器に対する相対的な現在の基地局の基地局送信器および基地局受信器の各対の相対相互関係
【数１３】
2013510473.tif 000015
を計算し、基準基地局送信器および基準基地局受信器として基地局送信器および基地局受信器の１対を選択することによって基準基地局送信器および基準基地局受信器に対する相対的な現在の基地局の基地局送信器および基地局受信器の各対の相対相互関係
【数１４】
2013510473.tif 000016
を計算するステップであって、ｉは、現在の基地局の基地局送信器および基地局受信器の複数の対の中の基地局送信器および基地局受信器の第ｉ対を表し、ｉ＝１、２、…、Ｎである、ステップと、
ｂ．現在の基地局の較正送信器から較正受信器に測定信号を送信し、現在の基地局の較正送信器および較正受信器のチャネル応答ｈｃ，ｋを測定するステップであって、ｈｃ，ｋ＝ｈｃｔ，ｋｈｃｒ，ｋであり、ｋは、現在の基地局がＣｏＭＰベースのＴＤＤ通信システム内の第ｋ基地局であることを示し、ｋ＝１、２、…、Ｍであり、Ｍは、ＣｏＭＰベースのＴＤＤ通信システム内の協力する基地局の総数を表す、ステップと、
ｃ．現在の基地局の較正受信器のチャネル応答ｈｃｒ，ｋを測定するステップと、
ｄ．
【数１５】
2013510473.tif 000017
の式で現在の基地局の較正送信器および較正受信器の絶対相互関係ｗｃ，ｋを計算するステップと、
ｅ．獲得されたグローバル基準ｗｍから現在の基地局の基地局送信器および基地局受信器の各対のグローバル相対較正重み
【数１６】
2013510473.tif 000018
を
【数１７】
2013510473.tif 000019
の式で計算するステップと
を含み、ｗｔは、現在の基地局の基準基地局送信器および基準基地局受信器の絶対相互関係を表し、
【数１８】
2013510473.tif 000020
であり、ｗｍは、現在の基地局の基準基地局送信器および基準基地局受信器の絶対相互関係または他の協力する基地局のうちの１つの基準基地局送信器および基準基地局受信器の絶対相互関係を表す
方法が提供される。
【００３１】
オプションで、この方法は、ステップｅの後に、
ｆ．現在の基地局の基地局送信器および基地局受信器の各対の計算されたグローバル相対較正重み
【数１９】
2013510473.tif 000021
から、現在の基地局の基地局送信器および基地局受信器の各対の絶対較正重みｗｉを
【数２０】
2013510473.tif 000022
の式で計算するステップ
をさらに含む。
【００３２】
本発明の第２の態様によれば、ＣｏＭＰベースのＴＤＤ通信システムの基地局で無線でアンテナを較正する方法であって、
Ａ．移動局送信器および移動局受信器に対する相対的な現在の基地局の基地局送信器および基地局受信器の各対の相対相互関係
【数２１】
2013510473.tif 000023
を計算するステップであって、ｉは、現在の基地局の基地局送信器および基地局受信器の複数の対の中の基地局送信器および基地局受信器の第ｉ対を表し、ｉ＝１、２、…、Ｎである、ステップと、
Ｂ．現在の基地局の基地局送信器および基地局受信器の各対のグローバル相対較正重み
【数２２】
2013510473.tif 000024
を、受信されたグローバル基準
【数２３】
2013510473.tif 000025
から
【数２４】
2013510473.tif 000026
の式で計算するステップと
を含み、ｓ＝１、２、…、Ｌであり、Ｌは、ＣｏＭＰベースのＴＤＤ通信システム内のすべての協力する基地局の基地局送信器および基地局受信器の対の個数を表す
方法が提供される。
【００３３】
第３の態様によれば、ＣｏＭＰベースのＴＤＤ通信システムの移動局で無線でアンテナを較正するのを補助する方法であって、
ｉ．複数の基地局のそれぞれの複数の基地局送信器から複数の直交較正信号を現在の移動局の移動局受信器で受信するステップと、
ｉｉ．複数の受信された直交較正信号から各基地局に対応する送信器較正ループのチャネル応答ｈｔ，ｉ＝ｈｂｔ，ｉｈＡＩ，ｉｈｍｒを測定し、各基地局にチャネル応答を送信するステップであって、ｈｂｔ，ｉは、現在の基地局の第ｉ基地局送信器のチャネル応答を表し、ｈＡＩ，ｉは、現在の基地局のエア・インターフェースのチャネル応答を表し、ｈｍｒは、移動局受信器のチャネル応答を表す、ステップと、
ｉｉｉ．現在の移動局の移動局送信器から複数の基地局のそれぞれの複数の基地局送信器に較正信号を送信するステップと
を含む方法が提供される。
【００３４】
本発明の第４の態様によれば、ＣｏＭＰベースのＴＤＤ通信システムの基地局でアンテナを自己較正する自己較正デバイスであって、
較正送信器および較正受信器に対する相対的な現在の基地局の基地局送信器および基地局受信器の各対の相対相互関係
【数２５】
2013510473.tif 000027
を計算し、基準基地局送信器および基準基地局受信器として基地局送信器および基地局受信器の１対を選択することによって基準基地局送信器および基準基地局受信器に対する相対的な現在の基地局の基地局送信器および基地局受信器の各対の相対相互関係
【数２６】
2013510473.tif 000028
を計算する第１計算手段であって、ｉは、現在の基地局の基地局送信器および基地局受信器の複数の対の中の基地局送信器および基地局受信器の第ｉ対を表し、ｉ＝１、２、…、Ｎである、第１計算手段と、
現在の基地局の較正送信器から較正受信器に測定信号を送信し、現在の基地局の較正送信器および較正受信器のチャネル応答ｈｃ，ｋを測定する第１測定手段であって、ｈｃ，ｋ＝ｈｃｔ，ｋｈｃｒ，ｋであり、ｋは、現在の基地局がＣｏＭＰベースのＴＤＤ通信システム内の第ｋ基地局であることを示し、ｋ＝１、２、…、Ｍであり、Ｍは、ＣｏＭＰベースのＴＤＤ通信システム内の協力する基地局の総数を表す、第１測定手段と、
現在の基地局の較正受信器のチャネル応答ｈｃｒ，ｋを測定する第２測定手段と、
【数２７】
2013510473.tif 000029
の式で現在の基地局の較正送信器および較正受信器の絶対相互関係ｗｃ，ｋを計算する第２計算手段と、
獲得されたグローバル基準ｗｍから現在の基地局の基地局送信器および基地局受信器の各対のグローバル相対較正重み
【数２８】
2013510473.tif 000030
を
【数２９】
2013510473.tif 000031
の式で計算する第３計算手段と
を含み、ｗｔは、現在の基地局の基準基地局送信器および基準基地局受信器の絶対相互関係を表し、
【数３０】
2013510473.tif 000032
であり、ｗｍは、現在の基地局の基準基地局送信器および基準基地局受信器の絶対相互関係または他の協力する基地局のうちの１つの基準基地局送信器および基準基地局受信器の絶対相互関係を表す
自己較正デバイスが提供される。
【００３５】
本発明の第５の態様によれば、ＣｏＭＰベースのＴＤＤ通信システムの基地局で無線でアンテナを較正する無線較正デバイスであって、
移動局送信器および移動局受信器に対する相対的な現在の基地局の基地局送信器および基地局受信器の各対の相対相互関係
【数３１】
2013510473.tif 000033
を計算する第８計算手段であって、ｉは、現在の基地局の基地局送信器および基地局受信器の複数の対の中の基地局送信器および基地局受信器の第ｉ対を表し、ｉ＝１、２、…、Ｎである、第８計算手段と、
現在の基地局の基地局送信器および基地局受信器の各対のグローバル相対較正重み
【数３２】
2013510473.tif 000034
を、受信されたグローバル基準
【数３３】
2013510473.tif 000035
から
【数３４】
2013510473.tif 000036
の式で計算する第９計算手段と
を含み、ｓ＝１、２、…、Ｌであり、Ｌは、ＣｏＭＰベースのＴＤＤ通信システム内のすべての協力する基地局の基地局送信器および基地局受信器の対の個数を表す
無線較正デバイスが提供される。
【００３６】
本発明の第６の態様によれば、ＣｏＭＰベースのＴＤＤ通信システムの基地局で無線でアンテナを較正するのを補助する補助無線較正デバイスであって、
複数の基地局のそれぞれの複数の基地局送信器から複数の直交較正信号を現在の移動局の移動局受信器で受信する第３受信手段と、
複数の受信された直交較正信号から各基地局に対応する送信器較正ループのチャネル応答ｈｔ，ｉ＝ｈｂｔ，ｉｈＡＩ，ｉｈｍｒを測定し、各基地局にチャネル応答を送信する第６測定手段であって、ｈｂｔ，ｉは、現在の基地局の第ｉ基地局送信器のチャネル応答を表し、ｈＡＩ，ｉは、現在の基地局のエア・インターフェースのチャネル応答を表し、ｈｍｒは、移動局受信器のチャネル応答を表す、第６測定手段と、
現在の移動局の移動局送信器から複数の基地局のそれぞれの複数の基地局送信器に較正信号を送信する第３送信手段と
を含む補助無線較正デバイスが提供される。
【００３７】
本発明の技術的解決策は、ＣｏＭＰベースのＴＤＤ無線通信システムのアンテナ較正に適用可能である。
【００３８】
本発明の他の目的、特徴、および利益は、添付図面を参照して非限定的な実施形態の次の説明を読む時により明白かつ顕著になる。
【図面の簡単な説明】
【００３９】
【図１】従来技術での単一セル内のアンテナの伝統的な自己較正の適用シナリオを示す概略図である。
【図２】従来技術での単一セル内のアンテナの伝統的な無線較正の適用シナリオを示す概略図である。
【図３】本発明の実施形態によるＣｏＭＰベースのＴＤＤ通信システムでのアンテナの自己較正の適用シナリオを示す概略図である。
【図４】本発明の実施形態によるＣｏＭＰベースのＴＤＤ通信システムの基地局内でアンテナを自己較正する方法を示す流れ図である。
【図５】本発明の実施形態によるＣｏＭＰベースのＴＤＤ通信システムでのアンテナの無線較正の適用シナリオを示す概略図である。
【図６】本発明の実施形態によるＣｏＭＰベースのＴＤＤ通信システムの基地局内で無線でアンテナを較正する方法を示す流れ図である。
【発明を実施するための形態】
【００４０】
図面では、同一のまたは同様の符号が、同一のまたは同様のステップ特徴／手段（モジュール）を識別する。
【００４１】
本発明の技術的解決策を、下で図面を参照して説明する。
【００４２】
図３に、本発明の実施形態によるＣｏＭＰベースのＴＤＤ通信システムでのアンテナの自己較正の適用シナリオの概略図を示す。
【００４３】
それぞれ２つのアンテナを有する２つの協力する基地局だけが、単に例として図３に記載されていることに留意されたい。当業者は、協力する基地局の個数および各基地局のアンテナの個数を、特定の応用例で３つ以上とすることができることを了解するであろう。
【００４４】
図示されているように、基地局１１は、２対の基地局送信器および受信器を含み、この基地局送信器および受信器は、それぞれ第１基地局送信器および第１基地局受信器を含む第１基地局送信器および受信器と、第２基地局送信器および第２基地局受信器を含む第２基地局送信器および受信器とである。基地局１１は、さらに、１対の較正送信器および受信器すなわち、較正送信器および較正受信器を含む。さらに、基地局１１の各アンテナは、時分割で信号を送信し、受信するために、送受信切替器によって制御される。
【００４５】
また、基地局１２は、２対の基地局送信器および基地局受信器を含み、この基地局送信器および基地局受信器は、それぞれ、第３基地局送信器および第３基地局受信器を含む第３基地局送信器および受信器と、第４基地局送信器および第４基地局受信器を含む第４基地局送信器および受信器とである。基地局１２は、さらに、１つの較正送信器および受信器すなわち、較正送信器および較正受信器を含む。さらに、基地局１２の各アンテナは、時分割で信号を送信し、受信するために、送受信切替器によって制御される。
【００４６】
図４に、本発明の実施形態によるＣｏＭＰベースのＴＤＤ通信システムの基地局内でアンテナを自己較正する方法の流れ図を示す。
【００４７】
本発明の実施形態によるＣｏＭＰベースのＴＤＤ通信システムの基地局内でアンテナを自己較正する方法を、図３と共に図４を参照して下で説明する。
【００４８】
基地局１１について、まず、ステップＳ４１では、基地局１１は、較正送信器および較正受信器に対する相対的な２対の基地局送信器および基地局受信器（すなわち、第１基地局送信器および第１基地局受信器ならびに第２基地局送信器および第２基地局受信器）の相対相互関係
【数３５】
2013510473.tif 000037
を計算し、基準基地局送信器および基準基地局受信器として２対の基地局送信器および基地局受信器のうちの１対を選択することによって、基準基地局送信器および基準基地局受信器に対する相対的な２対の基地局送信器および基地局受信器の相対相互関係
【数３６】
2013510473.tif 000038
を計算し、ここで、ｉ＝１、２である。
【００４９】
具体的には、まず、２つの直交較正信号が、基地局１１の第１基地局送信器および第２基地局送信器から基地局１１の較正受信器へ同時に送信され、基地局１１は、送信器較正ループのチャネル応答ｈｔ，ｉ＝ｈｂｔ，ｉｈｃｒを測定し、ここで、ｈｂｔ，ｉは、基地局１１の第ｉ基地局送信器のチャネル応答を表し、ｈｃｒは、基地局１１の較正受信器のチャネル応答を表す。
【００５０】
較正信号が、それぞれ基地局１１の較正送信器から基地局１１の第１基地局受信器および第２基地局受信器に送信され、基地局１１は、受信器較正ループのチャネル応答ｈｒ，ｉ＝ｈｃｔｈｂｒ，ｉを測定し、ここで、ｈｂｒ，ｉは、基地局１１の第ｉ基地局受信器のチャネル応答を表し、ｈｃｔは、基地局１１の較正送信器のチャネル応答を表す。
【００５１】
次に、基地局１１は、
【数３７】
2013510473.tif 000039
の式で較正送信器および較正受信器に対する相対的な２対の基地局送信器および基地局受信器の相対相互関係を計算する。
【００５２】
ここで、ｉ＝１、２である。
【００５３】
次に、基地局１１は、基準基地局送信器および基準基地局受信器として２つの基地局送信器および基地局受信器のうちの１対、たとえば第１基地局送信器および第１基地局受信器を選択し、較正送信器および較正受信器に対する相対的な基準基地局送信器および基準基地局受信器の相対相互関係、たとえば
【数３８】
2013510473.tif 000040
を計算する。
【００５４】
最後に、基地局１１は、基準基地局送信器および基準基地局受信器に対する相対的な２対の基地局送信器および基地局受信器の相対相互関係
【数３９】
2013510473.tif 000041
を、
【数４０】
2013510473.tif 000042
の式で計算する。
【００５５】
ここで、
【数４１】
2013510473.tif 000043
は、較正送信器および較正受信器に対する相対的な基準基地局送信器および基準基地局受信器の相対相互関係を表し、たとえば、第１基地局送信器および第１基地局受信器が基準基地局送信器および基準基地局受信器として選択される場合には、
【数４２】
2013510473.tif 000044
である。
【００５６】
次に、ステップＳ４２では、測定信号が、基地局１１の較正送信器から較正受信器へ送信され、基地局１１は、較正送信器および較正受信器のチャネル応答ｈｃ，１を測定し、ここで、ｈｃ，１＝ｈｃｔ，１ｈｃｒ，１である。
【００５７】
次に、ステップＳ４３では、基地局１１は、較正受信器のチャネル応答ｈｃｒ，１を測定する。
【００５８】
具体的には、基地局１１は、まず、ランダム・シーケンス・ジェネレータから較正受信器へランダム・シーケンスを送信する。
【００５９】
次に、基地局１１は、シーケンス・ジェネレータおよび較正受信器のチャネル応答ｈ３＝ｈＲＳＧ，１ｈｃｒ，１を測定する。
【００６０】
ここで、ｈＲＳＧ，１は、基地局１１のランダム・シーケンス・ジェネレータのチャネル応答を表し、ｈｃｒ，１は、基地局１１の較正受信器のチャネル応答を表す。
【００６１】
さらに、測定精度のために、ランダム・シーケンスを、ランダム・シーケンス・ジェネレータから複数個送信して、複数のｈ３を測定し、その後、平均をとることができる。
【００６２】
最後に、基地局１１の較正受信器のチャネル応答ｈｃｒ，１が、
【数４３】
2013510473.tif 000045
の式で計算される。
【００６３】
ここで、ｈＲＳＧ，１は、基地局１１のランダム・シーケンス・ジェネレータのチャネル応答を表し、これを、工場で測定し、基地局１１内のＲＯＭに格納することができる。
【００６４】
次に、ステップＳ４４では、基地局１１が、
【数４４】
2013510473.tif 000046
の式で、較正送信器および較正受信器の絶対相互関係ｗｃ，１を計算する。
【００６５】
最後に、ステップＳ４５では、基地局１１が、獲得されたグローバル基準ｗｍから、現在の基地局の基地局送信器および基地局受信器の各対のグローバル相対較正重み
【数４５】
2013510473.tif 000047
を、
【数４６】
2013510473.tif 000048
の式で計算する。
【００６６】
ここで、ｗｔは、基地局１１の基準基地局送信器および基準基地局受信器の絶対相互関係を表し、
【数４７】
2013510473.tif 000049
であり、たとえば、ｗｔ＝ｗ１の時には
【数４８】
2013510473.tif 000050
である。ｗｍは、基地局１１の基準基地局送信器および基準基地局受信器の絶対相互関係または協力する基地局１２の基準基地局送信器および基準基地局受信器の絶対相互関係を表す。
【００６７】
ここで、ｉ＝１、２である。
【数４９】
2013510473.tif 000051
は、基地局１１の第１基地局送信器および第１基地局受信器のグローバル相対較正重みを表し、
【数５０】
2013510473.tif 000052
は、基地局１１の第２基地局送信器および第２基地局受信器のグローバル相対較正重みを表す。
【００６８】
グローバル基準ｗｍは、ＣｏＭＰスケジューラによって選択され、そのＣｏＭＰスケジューラからの命令で基地局１１または基地局１２に通知される。基地局１１または基地局１２は、グローバル基準ｗｍの獲得時に、他の基地局に論理リンク、たとえば２つの基地局の間のＸ．２を介してそのグローバル基準ｗｍを通知する。
【００６９】
オプションで、基地局１１は、さらに、２対の基地局送信器および基地局受信器の計算されたグローバル相対較正重み
【数５１】
2013510473.tif 000053
から２対の基地局送信器および基地局受信器の絶対較正重みｗｉを、式
【数５２】
2013510473.tif 000054
で計算することができる。
【００７０】
ここで、ｉ＝１、２である。
【００７１】
基地局１２について、基地局１２は、２対の基地局送信器および基地局受信器（すなわち、第３基地局送信器および第３基地局受信器ならびに第４基地局送信器および第４基地局受信器）のグローバル相対較正重み
【数５３】
2013510473.tif 000055
を、前述のステップと同様に獲得することができる。
【数５４】
2013510473.tif 000056
【００７２】
ここで、ｗｔ’は、基地局１２の基準基地局送信器および基準基地局受信器の絶対相互関係を表し、
【数５５】
2013510473.tif 000057
であり、たとえば、ｗｔ’＝ｗ３の時には
【数５６】
2013510473.tif 000058
である。ｗｍは、基地局１２の基準基地局送信器および基準基地局受信器の絶対相互関係または協力する基地局１１の基準基地局送信器および基準基地局受信器の絶対相互関係を表す。
【００７３】
ここで、ｉ＝３、４である。
【数５７】
2013510473.tif 000059
は、基地局１２の第３基地局送信器および第３基地局受信器のグローバル相対較正重みを表し、
【数５８】
2013510473.tif 000060
は、基地局１２の第４基地局送信器および第４基地局受信器のグローバル相対較正重みを表す。
【００７４】
オプションで、基地局１２は、さらに、２対の基地局送信器および基地局受信器の計算されたグローバル相対較正重み
【数５９】
2013510473.tif 000061
から２対の基地局送信器および基地局受信器の絶対較正重みｗｉを、
【数６０】
2013510473.tif 000062
の式で計算することができる。
【００７５】
ここで、ｉ＝３、４である。
【００７６】
図５に、本発明の実施形態によるＣｏＭＰベースのＴＤＤ通信システムでのアンテナの無線較正の適用シナリオの概略図を示す。
【００７７】
それぞれ２つのアンテナを有する２つの協力する基地局だけが、例として図５に記載されていることに留意されたい。当業者は、協力する基地局の個数および各基地局のアンテナの個数を、特定の応用例で３つ以上とすることができることを了解するであろう。
【００７８】
図示されているように、２対の基地局送信器および受信器があり、この基地局送信器および受信器は、それぞれ第１基地局送信器および第１基地局受信器を含む第１基地局送信器および受信器と、第２基地局送信器および第２基地局受信器を含む第２基地局送信器および受信器とである。さらに、基地局１１の各アンテナは、時分割で信号を送信し、受信するために、送受信切替器によって制御される。
【００７９】
また、基地局１２は、２対の基地局送信器および受信器を含み、この基地局送信器および受信器は、それぞれ、第３基地局送信器および第３基地局受信器を含む第３基地局送信器および受信器と、第４基地局送信器および第４基地局受信器を含む第４基地局送信器および受信器とである。さらに、基地局１２の各アンテナは、時分割で信号を送信し、受信するために、送受信切替器によって制御される。
【００８０】
移動局２は、１対の移動局送信器および受信器すなわち、移動局送信器および移動局受信器を含み、時分割で信号を送信し、受信するために送受信切替器によって制御されるアンテナを含む。
【００８１】
図６に、本発明の実施形態によるＣｏＭＰベースのＴＤＤ通信システムの基地局内で無線でアンテナを較正する方法の流れ図を示す。
【００８２】
本発明の実施形態によるＣｏＭＰベースのＴＤＤ通信システムの基地局内で無線でアンテナを較正する方法を、図５と共に図６を参照して下で説明する。
【００８３】
基地局１１について、まず、ステップＳ６１で、基地局１１は、移動局送信器および移動局受信器に対する相対的な２対の基地局送信器および基地局受信器（すなわち、第１基地局送信器および第１基地局受信器ならびに第２基地局送信器および第２基地局受信器）の相対相互関係
【数６１】
2013510473.tif 000063
を計算し、ここで、ｉ＝１、２である。
【００８４】
具体的には、基地局１１は、まず、第１基地局送信器および第２基地局送信器から移動局２の移動局受信器へ２つの直交較正信号を同時に送信する。
【００８５】
移動局２は、基地局１１の第１基地局送信器および第２基地局送信器から送信された２つの直交較正信号を移動局受信器で受信し、その後、基地局１１の送信器較正ループのチャネル応答ｈｔ，ｉ＝ｈｂｔ，ｉｈＡＩ，ｉｈｍｒを測定し、そのチャネル応答を基地局１１および基地局１２に送信し、ここで、ｈｂｔ，ｉは、基地局１２の第ｉ基地局送信器のチャネル応答を表し、ｈＡＩ，ｉは、基地局１２のエア・インターフェースのチャネル応答を表し、ｈｍｒは、移動局２の移動局受信器のチャネル応答を表す。
【００８６】
基地局１１は、基地局１１に対応する送信器較正ループのチャネル応答ｈｔ，ｉ＝ｈｂｔ，ｉｈＡＩ，ｉｈｍｒを移動局２から受信する。
【００８７】
また、移動局２は、移動局送信器から基地局１１の第１基地局受信器および第２基地局受信器に較正信号を送信する。
【００８８】
基地局１１は、移動局２の移動局送信器から送信された較正信号を第１基地局受信器および第２基地局受信器で受信し、その後、基地局１１の受信器較正ループのチャネル応答ｈｒ，ｉ＝ｈｍｔｈＡｉ，ｉｈｂｒ，ｉを測定し、ここで、ｈＡＩ，ｉは、基地局１１のエア・インターフェースのチャネル応答を表し、ｈｂｒ，ｉは、基地局１１の第ｉ基地局受信器のチャネル応答を表し、ｈｍｔは、移動局２の移動局送信器のチャネル応答を表す。
【００８９】
その後、基地局１１は、
【数６２】
2013510473.tif 000064
の式で、移動局送信器および移動局受信器に対する相対的な２対の基地局送信器および基地局受信器の相対相互関係を計算する。
【００９０】
ここで、ｉ＝１、２である。
【００９１】
次に、ステップＳ６２では、基地局１１は、２対の基地局送信器および基地局受信器のグローバル相対較正重み
【数６３】
2013510473.tif 000065
を、受信されたグローバル基準
【数６４】
2013510473.tif 000066
から、
【数６５】
2013510473.tif 000067
の式で計算する。
【００９２】
ここで、ｉ＝１、２である。
【数６６】
2013510473.tif 000068
は、基地局１１の第１基地局送信器および第１基地局受信器のグローバル相対較正重みを表し、
【数６７】
2013510473.tif 000069
は、基地局１１の第２基地局送信器および第２基地局受信器のグローバル相対較正重みを表す。
【００９３】
基地局１２は、基地局１２の２対の基地局送信器および基地局受信器のグローバル相対較正重み
【数６８】
2013510473.tif 000070
を、前述のステップと同様に獲得することができる。
【数６９】
2013510473.tif 000071
【００９４】
ここで、ｉ＝３、４である。
【数７０】
2013510473.tif 000072
は、基地局１２の第３基地局送信器および第３基地局受信器のグローバル相対較正重みを表し、
【数７１】
2013510473.tif 000073
は、基地局１２の第４基地局送信器および第４基地局受信器のグローバル相対較正重みを表す。
【００９５】
ここで、Ｓ＝１または２または３または４である。
【００９６】
グローバル基準
【数７２】
2013510473.tif 000074
は、ＣｏＭＰスケジューラによって選択され、そのＣｏＭＰスケジューラからの命令内で基地局１１または基地局１２に通知される。基地局１１または基地局１２は、グローバル基準
【数７３】
2013510473.tif 000075
の獲得時に、そのグローバル基準を他の基地局に論理リンク、たとえば２つの基地局の間のＸ．２を介して通知する。
【００９７】
本発明の技術的解決策は、上で方法のステップの展望から説明されたが、下でデバイスのモジュールの展望からさらに説明される。
【００９８】
本発明の実施形態によるＣｏＭＰベースのＴＤＤ通信システムの基地局でアンテナを自己較正する自己較正デバイスに含まれるそれぞれのモジュールを、下で図３を参照して説明する。ここでは、図３の前述の説明に言及する可能性がある。
【００９９】
本発明の実施形態によるＣｏＭＰベースのＴＤＤ通信システムの基地局でアンテナを自己較正する自己較正デバイスは、次を含む。
【０１００】
第１計算手段は、較正送信器および較正受信器に対する相対的な現在の基地局の基地局送信器および基地局受信器の各対の相対相互関係
【数７４】
2013510473.tif 000076
を計算し、基準基地局送信器および基準基地局受信器として基地局送信器および基地局受信器の１対を選択することによって基準基地局送信器および基準基地局受信器に対する相対的な現在の基地局の基地局送信器および基地局受信器の各対の相対相互関係
【数７５】
2013510473.tif 000077
を計算するためのものであり、ｉは、現在の基地局の基地局送信器および基地局受信器の複数の対の中の基地局送信器および基地局受信器の第ｉ対を表し、ｉ＝１、２、…、Ｎである。
【０１０１】
第１測定手段は、現在の基地局の較正送信器から較正受信器に測定信号を送信し、現在の基地局の較正送信器および較正受信器のチャネル応答ｈｃ，ｋを測定するためのものであり、ｈｃ，ｋ＝ｈｃｔ，ｋｈｃｒ，ｋであり、ｋは、現在の基地局がＣｏＭＰベースのＴＤＤ通信システム内の第ｋ基地局であることを示し、ｋ＝１、２、…、Ｍであり、Ｍは、ＣｏＭＰベースのＴＤＤ通信システム内の協力する基地局の総数を表す。
【０１０２】
第２測定手段は、現在の基地局の較正受信器のチャネル応答ｈｃｒ，ｋを測定するためのものである。
【０１０３】
第２計算手段は、
【数７６】
2013510473.tif 000078
の式で現在の基地局の較正送信器および較正受信器の絶対相互関係ｗｃ，ｋを計算するためのものである。
【０１０４】
第３計算手段は、獲得されたグローバル基準ｗｍから現在の基地局の基地局送信器および基地局受信器の各対のグローバル相対較正重み
【数７７】
2013510473.tif 000079
を
【数７８】
2013510473.tif 000080
の式で計算するためのものである。
【０１０５】
ｗｔは、現在の基地局の基準基地局送信器および基準基地局受信器の絶対相互関係を表し、
【数７９】
2013510473.tif 000081
であり、ｗｍは、現在の基地局の基準基地局送信器および基準基地局受信器の絶対相互関係または他の協力する基地局のうちの１つの基準基地局送信器および基準基地局受信器の絶対相互関係を表す。
【０１０６】
好ましくは、自己較正デバイスは、さらに、次を含む。
【０１０７】
第４計算手段は、現在の基地局の基地局送信器および基地局受信器の各対の計算されたグローバル相対較正重み
【数８０】
2013510473.tif 000082
から、現在の基地局の基地局送信器および基地局受信器の各対の絶対較正重みｗｉを
【数８１】
2013510473.tif 000083
の式で計算するためのものである。
【０１０８】
オプションで、第３計算手段は、さらに、次を含む。
【０１０９】
第１受信手段は、他の協力する基地局のうちの１つからグローバル基準ｗｍを受信するためのものである。
【０１１０】
第１１計算手段は、受信されたグローバル基準ｗｍから現在の基地局の基地局送信器および基地局受信器の各対のグローバル相対較正重み
【数８２】
2013510473.tif 000084
を
【数８３】
2013510473.tif 000085
の式で計算するためのものである。
【０１１１】
ｗｔは、現在の基地局の基準基地局送信器および基準基地局受信器の絶対相互関係を表し、ｗｍは、他の協力する基地局のうちの１つの基準基地局送信器および基準基地局受信器の絶対相互関係を表す。
【０１１２】
オプションで、第３計算手段は、さらに、次を含む。
【０１１３】
第３送信手段は、現在の基地局と他の協力する基地局との間の論理リンクを介してグローバル基準ｗｍとして現在の基地局の基準送信器および基準受信器の絶対相互関係を他の協力する基地局に送信するためのものである。
【０１１４】
第１２計算手段は、グローバル基準ｗｍから現在の基地局の基地局送信器および基地局受信器の各対のグローバル相対較正重み
【数８４】
2013510473.tif 000086
を
【数８５】
2013510473.tif 000087
の式で計算するためのものである。
【０１１５】
ｗｔとｗｍとの両方は、現在の基地局の基準基地局送信器および基準基地局受信器の絶対相互関係を表す。
【０１１６】
好ましくは、第２測定手段は、次を含む。
【０１１７】
第１送信手段は、現在の基地局のランダム・シーケンス・ジェネレータから現在の基地局の較正受信器へランダム・シーケンスを送信するためのものである。
【０１１８】
第３測定手段は、シーケンス・ジェネレータおよび較正受信器のチャネル応答ｈ３＝ｈＲＳＧ，ｋｈｃｒ，ｋを測定するためのものであり、ｈＲＳＧ，ｋは、現在の基地局のランダム・シーケンス・ジェネレータのチャネル応答を表し、ｈｃｒ，ｋは、現在の基地局の較正受信器のチャネル応答を表す。
【０１１９】
第５計算手段は、現在の基地局の較正受信器のチャネル応答ｈｃｒ，ｋを
【数８６】
2013510473.tif 000088
の式で計算するためのものである。
【０１２０】
好ましくは、第１計算手段は、次を含む。
【０１２１】
第４測定手段は、現在の基地局の複数の基地局送信器から現在の基地局の較正受信器へ複数の直交較正信号を同時に送信し、送信器較正ループのチャネル応答ｈｔ，ｉ＝ｈｂｔ，ｉｈｃｒを測定し、ｈｂｔ，ｉは、現在の基地局の第ｉ基地局送信器のチャネル応答を表し、ｈｃｒは、現在の基地局の較正受信器のチャネル応答を表し、それぞれ現在の基地局の較正送信器から現在の基地局の複数の基地局受信器へ較正信号を送信し、受信器較正ループのチャネル応答ｈｒ，ｉ＝ｈｃｔｈｂｒ，ｉを測定するためのものであり、ｈｂｒ，ｉは、現在の基地局の第ｉ基地局受信器のチャネル応答を表し、ｈｃｔは、現在の基地局の較正送信器のチャネル応答を表す。
【０１２２】
第６計算手段は、較正送信器および較正受信器に対する相対的な現在の基地局の基地局送信器および基地局受信器の各対の相対相互関係を
【数８７】
2013510473.tif 000089
の式で計算するためのものである。
【０１２３】
選択手段は、基準基地局送信器および基準基地局受信器として現在の基地局の基地局送信器および基地局受信器の複数の対のうちの１つを選択し、較正送信器および較正受信器に対する相対的な基準基地局送信器および基準基地局受信器の相対相互関係
【数８８】
2013510473.tif 000090
を計算するためのものである。
【０１２４】
第７計算手段は、基準基地局送信器および基準基地局受信器に対する相対的な現在の基地局の基地局送信器および基地局受信器の各対の相対相互関係
【数８９】
2013510473.tif 000091
を
【数９０】
2013510473.tif 000092
の式で計算するためのものである。
【０１２５】
本発明の実施形態によるＣｏＭＰベースのＴＤＤ通信システムの基地局で無線でアンテナを較正する無線較正デバイスに含まれるモジュールと、本発明の実施形態によるＣｏＭＰベースのＴＤＤ通信システムの基地局で無線でアンテナを較正するのを補助する補助無線較正デバイスに含まれるモジュールとを、図５を参照して下で説明する。
【０１２６】
本発明の実施形態によるＣｏＭＰベースのＴＤＤ通信システムの基地局で無線でアンテナを較正する無線較正デバイスは、次を含む。
【０１２７】
第８計算手段は、移動局送信器および移動局受信器に対する相対的な現在の基地局の基地局送信器および基地局受信器の各対の相対相互関係
【数９１】
2013510473.tif 000093
を計算するためのものであり、ｉは、現在の基地局の基地局送信器および基地局受信器の複数の対の中の基地局送信器および基地局受信器の第ｉ対を表し、ｉ＝１、２、…、Ｎである。
【０１２８】
第９計算手段は、現在の基地局の基地局送信器および基地局受信器の各対のグローバル相対較正重み
【数９２】
2013510473.tif 000094
を、受信されたグローバル基準
【数９３】
2013510473.tif 000095
から
【数９４】
2013510473.tif 000096
の式で計算するためのものである。
【０１２９】
ｓ＝１、２、…、Ｌであり、Ｌは、ＣｏＭＰベースのＴＤＤ通信システム内のすべての協力する基地局の基地局送信器および基地局受信器の対の個数を表す。
【０１３０】
好ましくは、第８計算手段は、次を含む。
【０１３１】
第２送信手段は、現在の基地局の複数の基地局送信器から移動局の移動局受信器へ複数の直交較正信号を同時に送信するためのものである。
【０１３２】
第２受信手段は、現在の基地局に対応する送信器較正ループのチャネル応答ｈｔ，ｉ＝ｈｂｔ，ｉｈＡＩ，ｉｈｍｒを移動局から受信するためのものであり、ｈｂｔ，ｉは、現在の基地局の第ｉ基地局送信器のチャネル応答を表し、ｈＡＩ，ｉは、現在の基地局のエア・インターフェースのチャネル応答を表し、ｈｍｒは、移動局受信器のチャネル応答を表す。
【０１３３】
第５測定手段は、移動局の移動局送信器から現在の基地局の複数の基地局受信器へ送信された受信された較正信号から現在の基地局に対応する受信器較正ループのチャネル応答ｈｒ，ｉ＝ｈｍｔｈＡｉ，ｉｈｂｒ，ｉを測定するためのものであり、ｈＡＩ，ｉは、エア・インターフェースのチャネル応答を表し、ｈｂｒ，ｉは、第ｉ基地局受信器のチャネル応答を表し、ｈｍｔは、移動局送信器のチャネル応答を表す。
【０１３４】
第１０計算手段は、移動局送信器および移動局受信器に対する相対的な現在の基地局の基地局送信器および基地局受信器の各対の相対相互関係を
【数９５】
2013510473.tif 000097
の式で計算するためのものである。
【０１３５】
本発明の実施形態によるＣｏＭＰベースのＴＤＤ通信システムの基地局で無線でアンテナを較正するのを補助する補助無線較正デバイスは、次を含む。
【０１３６】
第３受信手段は、複数の基地局のそれぞれの複数の基地局送信器から複数の直交較正信号を現在の移動局の移動局受信器で受信するためのものである。
【０１３７】
第６測定手段は、複数の受信された直交較正信号から各基地局に対応する送信器較正ループのチャネル応答ｈｔ，ｉ＝ｈｂｔ，ｉｈＡＩ，ｉｈｍｒを測定し、各基地局にチャネル応答を送信するためのものであり、ｈｂｔ，ｉは、現在の基地局の第ｉ基地局送信器のチャネル応答を表し、ｈＡＩ，ｉは、現在の基地局のエア・インターフェースのチャネル応答を表し、ｈｍｒは、移動局受信器のチャネル応答を表す。
【０１３８】
第３送信手段は、現在の移動局の移動局送信器から複数の基地局のそれぞれの複数の基地局送信器に較正信号を送信するためのものである。
【０１３９】
本発明を、図面および前述の説明で図示し、詳細に説明したが、図示および説明が、単に実例となり、例示的であって、限定的ではなく、本発明が、前述の実施形態に限定されないことを了解されたい。
【０１４０】
当業者は、この説明、開示された教示および図面、ならびに添付の特許請求の範囲を読むことから、開示される実施形態に対する他の変更を了解し、作ることができる。特許請求の範囲では、用語「ｃｏｍｐｒｉｓｅ（ｓ）／ｃｏｍｐｒｉｓｉｎｇ（含む）」が、他の要素およびステップを除外せず、用語「ａ（ａｎ）」が、複数を除外しない。１つのコンポーネントが、本発明の実用的応用で、請求項に列挙された複数の技術的特徴の機能を実行することができる。特許請求の範囲のどの符号をも、本発明の範囲を限定するものと解釈してはならない。
【図１】
2013510473.tif 000143
【図２】
2013510473.tif 000144
【図３】
2013510473.tif 000145
【図４】
2013510473.tif 000146
【図５】
2013510473.tif 000147
【図６】
2013510473.tif 000148
【国際調査報告】
2013510473.tif 000149
2013510473.tif 000150
2013510473.tif 000151
2013510473.tif 000152
2013510473.tif 000153
2013510473.tif 000154